(57)【要約】      （修正有）【課題】ドラグ機構を冷却するための冷却器がスプールスカート部に内装され、かつスカート部に冷却風を排出するための排出孔が形成されているため、ラインの巻き量を多くすることができ、また、ドラグ力をより大きいものにでき、さらに冷却効率も向上するスピニングリールを提供する。【解決手段】スカート部６ｂには、スカート部６ｂ内の空気を排出するための排出孔６ｉが形成されるものであり、排出孔６ｉは、ドラグ機能が働いてスプール６がラインを繰り出す方向に回転した場合に、回転方向側の孔面及び反対側の孔面の少なくとも一方が、外周部が回転方向反対側に位置し内周部が回転方向側に位置した傾斜面とし、ドラグ機構が働いてスプール６が回転した場合にスプール内の空気を積極的に外部に排出させることを特徴とする。【選択図】図２
0003192726.tif 000002
【実用新案登録請求の範囲】
【請求項１】
ハンドルが設けられたリール本体と、該ハンドルを回し操作することでリール本体に対して前後方向に往復移動するスプール軸および該スプール軸を軸心として回転するロータと、該ロータに起倒自在に設けられるベール支持部材を介して取付けられるベールと、前記スプール軸に貫通状に設けられるスプールと、該スプールに内装されるドラグ機構と、スプール軸の先端部に螺子固定され、前記ドラグ機構のドラグ調整をするドラグノブとを備えて構成されるスピニングリールにおいて、前記スプールに冷却フィンが設けられた冷却器を内装して前記ドラグ機構を冷却するように構成するにあたり、冷却器は、スプールのロータ先端部が遊嵌状に内装するスカート部に内装され、該スカート部には、該スカート部内の空気を排出するための排出孔が形成されるものであり、該排出孔は、ドラグ機能が働いてスプールがラインを繰り出す方向に回転した場合に、該回転方向側の孔面及び反対側の孔面の少なくとも一方が、外周部が回転方向反対側に位置し内周部が回転方向側に位置した傾斜面になっていることを特徴とするスピニングリール。
【請求項２】
ドラグ機構は、ラインが巻装される巻き胴部内に内装される第一ドラグ機構と、巻き胴部とスカート部とのあいだの段差状部からリール本体側に向けて凸設された筒状部に設けられることでスカート部に内装される第二ドラグ機構とから構成され、冷却器は、筒状部に組付けられるものであることを特徴とする請求項１記載のスピニングリール。
【請求項３】
冷却器は、冷却フィンがリール本体側に突出する状態で複数のものがスプール軸の軸心周りに間隙を存する状態で配設されるものであり、該冷却フィンは、ドラグ機能が働いてスプールがラインを繰り出す方向に回転した場合に、内周部が該回転方向側、外周部が回転方向反対側に偏倚するよう傾斜していることを特徴とする請求項１または２記載のスピニングリール。
【請求項４】
スプールスカート部は、排出孔が形成される領域と排出孔の無い領域とがあることを特徴とする請求項１乃至３の何れか１記載のスピニングリール。
【請求項５】
排出孔が形成される領域と排出孔の無い領域が交互に形成されることを特徴とする請求項４記載のスピニングリール。
【考案の詳細な説明】
【技術分野】
【０００１】
本考案は、ドラグ機構を備えたスピニングリールの技術分野に属するものである。
【背景技術】
【０００２】
一般に、スピニングリールは、ハンドルを回すことに連動してスプール軸に対しスプールが前後方向に往復移動する一方、ロータがスプール軸を軸心として回転することになり、該ロータに設けたベールに巻回されるライン（テグス、道糸）がスプールに巻き取られるようになっている。このようなスピニングリールにおいて、大物が釣れたりして大きな負荷がライン側に働いた場合に、スプールを制動（ブレーキ）がかかった状態で空転させ、ハリス切れをなくして魚のバラシを回避する等のため、スプール内にドラグ機構を設けたものがある。
このようなドラグ機構は、摩擦力によって制動をかける構成になっているため、摩擦力、空転量が大きいほど摩擦熱が発生して高温となり、このため、スプール内にある潤滑油（グリース）が熱ダレしてドラグ機構に流れ込むと適正な摩擦力を得られなくなり、この結果、ドラグ機構の動作が適正に行われなくなってハリスが切れて魚をバラシてしまう等の問題がある。
そこでスプールに前後方向の通気孔を形成すると共に、スプール内に冷却ファンを配し、大物が釣れる等してドラグ機能が働き、スプールがライン巻装方向とは逆方向に回転した場合、これに一体となって回転する冷却ファンにより冷却風をスプール先端側に流してドラグ機構を冷却するようにしたものが知られている（特許文献１）。
【先行技術文献】
【特許文献】
【０００３】
【特許文献１】特開平９−２０１１５３号公報
【考案の概要】
【考案が解決しようとする課題】
【０００４】
ところがこのものは、スプールの巻き胴部分内に通気孔と冷却ファンが設けられるため、巻き胴の径がどうしても大きくなってラインの巻き量が少なくなってしまうという問題があるだけでなく、スプールに形成の通気孔と、ドラグノブに形成の通気孔の位置が、ドラグ力を調整すべくドラグノブを回転した場合に互いにずれてしまい、円滑な排気ができないという問題があり、これらに本考案の解決すべき課題がある。
【課題を解決するための手段】
【０００５】
本考案は、上記の如き実情に鑑みこれらの課題を解決することを目的として創作されたものであって、請求項１の考案は、ハンドルが設けられたリール本体と、該ハンドルを回し操作することでリール本体に対して前後方向に往復移動するスプール軸および該スプール軸を軸心として回転するロータと、該ロータに起倒自在に設けられるベール支持部材を介して取付けられるベールと、前記スプール軸に貫通状に設けられるスプールと、該スプールに内装されるドラグ機構と、スプール軸の先端部に螺子固定され、前記ドラグ機構のドラグ調整をするドラグノブとを備えて構成されるスピニングリールにおいて、前記スプールに冷却フィンが設けられた冷却器を内装して前記ドラグ機構を冷却するように構成するにあたり、冷却器は、スプールのロータ先端部が遊嵌状に内装するスカート部に内装され、該スカート部には、該スカート部内の空気を排出するための排出孔が形成されるものであり、該排出孔は、ドラグ機能が働いてスプールがラインを繰り出す方向に回転した場合に、該回転方向側の孔面及び反対側の孔面の少なくとも一方が、外周部が回転方向反対側に位置し内周部が回転方向側に位置した傾斜面になっていることを特徴とするスピニングリールである。
請求項２の考案は、ドラグ機構は、ラインが巻装される巻き胴部内に内装される第一ドラグ機構と、巻き胴部とスカート部とのあいだの段差状部からリール本体側に向けて凸設された筒状部に設けられることでスカート部に内装される第二ドラグ機構とから構成され、冷却器は、筒状部に組付けられるものであることを特徴とする請求項１記載のスピニングリールである。
請求項３の考案は、冷却器は、冷却フィンがリール本体側に突出する状態で複数のものがスプール軸の軸心周りに間隙を存する状態で配設されるものであり、該冷却フィンは、ドラグ機能が働いてスプールがラインを繰り出す方向に回転した場合に、内周部が該回転方向側、外周部が回転方向反対側に偏倚するよう傾斜していることを特徴とする請求項１または２記載のスピニングリールである。
請求項４の考案は、スプールスカート部は、排出孔が形成される領域と排出孔の無い領域とがあることを特徴とする請求項１乃至３の何れか１記載のスピニングリールである。
請求項５の考案は、排出孔が形成される領域と排出孔の無い領域が交互に形成されることを特徴とする請求項４記載のスピニングリールである。
【考案の効果】
【０００６】
請求項１の考案とすることにより、ドラグ機構を冷却するための冷却器がスプールスカート部に内装され、かつ該スカート部に冷却風を排出するための排出孔が形成されているため、巻き胴部がを細径にできることになってラインの巻き量を多くすることができる。
請求項２の考案とすることにより、スプールスカート部に配した第二ドラグ機構があるため、大きなドラグ力を確保することができるが、第二ドラグ機構は巻き胴部よりも大径のスカート部に配されるため、巻き胴部に内装される第一ドラグ機構よりも大径にできる結果、ドラグ力をより大きいものにできることになる。
請求項３の考案とすることにより、冷却フィンがスカート部内の冷却風をスプール軸の軸芯側から外側に向けて起風することになって冷却風が排出孔に向くことになり、整然として冷却風流路ができて冷却効率が向上する。
請求項４の考案とすることにより、ドラグ機能が働いてスプールが回転した場合に、排出孔の無い部位ではスカート部とロータの隙間から冷却風が入り込み、そしてドラグ機構を冷却した冷却風はスカート部に形成の排出孔から排出されることになって冷却効果が向上する。
請求項５の考案とすることにより、冷却効果がより向上する。
【図面の簡単な説明】
【０００７】
【図１】スピニングリールの斜視図である。
【図２】スピニングリールのスプール部位の縦断面図である。
【図３】スプールの側面図である。
【図４】スプールの拡大縦断面図である。
【図５】（Ａ）、（Ｂ）はスカート部のＸ−Ｘ断面図、排出孔部の部分拡大断面図である。
【図６】（Ａ）、（Ｂ）、（Ｃ）は冷却器の平面図、底面図、Ｙ−Ｙ拡大断面図である。
【図７】（Ａ）、（Ｂ）は第二の実施の形態を示すスカート部の横断面図、排出孔部の部分拡大断面図である。
【図８】（Ａ）、（Ｂ）は第三の実施の形態を示すスカート部の横断面図、排出孔部の部分拡大断面図である。
【考案を実施するための形態】
【０００８】
次ぎに、本考案の実施の形態について、図面を用いて説明する。図面において、１はスピニングリールであって、該スピニングリール１は、ハンドル２ａが設けられたリール本体２と、該ハンドル２ａを回し操作することでリール本体２に対して前後方向（軸長方向）に往復移動するスプール軸３および該スプール軸３を軸心として回転するロータ４と、該ロータ４に起倒自在に設けられるベール支持部材５ａを介して取付けられるベール５と、前記スプール軸３に貫通状に設けられるスプール６と、該スプール６のラインが巻装される巻き胴部６ａ、ロータ４が遊嵌状に内嵌するスカート部６ｂにそれぞれ内装した第一ドラグ機構７、第二ドラグ機構８と、スプール軸３の先端部に螺子固定され、前記第一、第二ドラグ機構７、８のドラグ調整をするドラグノブ９とを用いて構成されること等は何れも従来通りである。
【０００９】
前記スプール６は、リール本体２から延出するスプール軸３に対し軸受９ａにより回転自在に軸支され、これによりスプール６はリール本体２に対して自由回転できるように構成されている。一方、第一ドラグ機構７は、スプール軸３の外周面に形成の面取り部３ａに回り止め状に貫通する第一ワッシャー７ａと、面取り部３ａに自由回転するよう貫通する第二ワッシャー７ｂと、これら第一、第二ワッシャー７ａ、７ｂのあいだに挟まれ面取り部３ａに対して自由回転するように貫通する第三ワッシャ７ｃとが積層状に設けられている。また第二ワッシャー７ｂの外周面は凹凸状になっていてその凸部７ｄが、巻き胴部６ａの筒内周面６ｃに形成した凹溝６ｄに係合状に嵌入しており、これにより第二ワッシャー７ｂはスプール６と一体回転するようになっているのに対し、第一ワッシャー７ａは、巻き胴部６ａの内周面６ｃに対して回転自在で、スプール軸３（リール本体２）に対して軸回り方向は一体化されているが軸心方向には移動できるようになっている。第三ワッシャー７ｃはスプール軸３およびスプール６に対してそれぞれ回転自在（自由）になっている。
【００１０】
一方、第二ドラグ機構８は、巻き胴部６ａとスカート部６ｂのあいだの段差状部（巻き胴部６ａに対してリール本体側のフランジ部となる。）６ｅからスカート部６ｂよりも小径となる状態でリール本体２側に向けて延出した筒状部６ｆに内装されるが、第二ドラグ機構８を構成する第一ワッシャー８ａは、面取り部３ａに回り止め状に係合するが外周面は筒状だ６ｆの内周面に対して自由回転するようになっており、これによって第一ワッシャー８ａは、スプール６に対して回転するがスプール軸３（リール本体２）に対して軸回り方向は一体化されているが軸心方向には移動できるようになっている。一方、第一ワッシャー８ａに積層する第二ワッシャー８ｂは、スプール軸３に対しては自由回転するが、凹凸状になった外周面の凸部８ｃが筒状部６ｆの内周面に形成の凹溝６ｇに係合状に嵌入しており、これによって第二ワッシャー８ｂはスプール６と一体化するがスプール軸３ｓは自由になっている。
【００１１】
そしてスプール軸３をスプール６に貫通すると、スプール軸３に設けたスプール受け座金３ｂが第二ドラグ機構８の底面に設けた第三ワッシャー８ｄに当接して受け、この状態でスプール６から貫通した先端部に形成の螺子部３ｃにドラグノブ９を螺合していくと、ドラグノブ９の底面が第一ドラグ機構７の先端面に設けた第四ワッシャー７ｅに当接し、そしてドラグノブ９の締め込み調整をすることで、第一ドラグ機構では第一〜第三ワッシャー７ａ、７ｂ、７ｃが摺接状態となり、また第二ドラグ機構８では第一、第二ワッシャー８ａ、８ｂが摺接状態となってそれぞれ摩擦力（制動力）が発生してドラグ機能が発生するようになっている。
【００１２】
１０は本考案が実施された冷却器（ラジエータ）であって、該冷却器１０は、筒状部６ｆの下端部に外嵌螺合される取付け部１０ａが巻き胴部６ａ側に、複数の冷却フィン１０ｂが設けられたフィン部１０ｃがリール本体２側に設けられている。冷却フィン１０ｂは、リール本体２側に突出する状態で複数のものがスプール軸３の軸心周りに間隙を存する状態で配設されているが、スプール６がドラグ機能が働いて矢印Ａ方向にに回転した場合に、冷却フィン１０ｂの内周部１０ｄが回転方向側、外周部１０ｅが回転方向反対側に偏倚するよう傾斜状（湾曲も含む）になっており、これによてスプール６がドラグ機能が働いて矢印Ａ方向に回転した場合に、フィン部１０ｃは、冷却風を内周側から外周側に向けて積極的に流すことに取り込むように構成されている。尚、本実施の形態の冷却フィン１０ｂは、四角リブ形状となった繰り抜き形状となっている。
【００１３】
一方、スプール６のスカート部６ｂには、冷却風を排出するための排出孔６ｉが形成されるが、該排出孔６ｉは、スプール６がドラグ機能が働いてＡ方向に回転した場合に、排出孔６ｉの回転方向反対側の面６ｊの外周部６ｋが回転方向反対側に位置し、内周部６ｌが回転方向側に位置する傾斜面となっており、これによってスプール６がドラグ機能が働いて矢印Ａ方向に回転した場合に、排出孔６ｉは、スカート部６ｂ内の空気を内周部６ｌから外周部６ｋに積極的に流し出すように構成されている。尚、スカート部６ｂは、排出孔６ｉが並列状に設けられる領域と排出孔６ｉの無い領域とか交互に形成されているが、本実施の形態では９０度の範囲でこれら領域が繰り返されている。
【００１４】
そしてスピニングリール１を用いて釣りをしている場合に、魚が釣れる等してラインが引っ張られ、その引っ張り力が大きい場合にドラグ機能が働いてスプール６がＡ方向に回転することになるが、その場合、冷却器１０がスプール６と共に矢印Ａ方向に回転すると、該冷却器１０の回転を受けて冷却器１０の内周側の空気が外周側に向けて移動することになり、これを受けて冷却風（外気）がスカート部６ｂとロータ４との隙間からスカート部内に浸入して冷却器１０内に至る一方で、スカート部６ｂ内の空気は、冷却器１０から外径側に流れ出たものが排出孔６ｉから積極的に外部に排出される冷却風流路が形成され、これによってドラグ機構７、８（特に大径の第二ドラグ機構８）を積極的に冷却するようになっている。
【００１５】
叙述のごとく構成された本考案の実施の形態において、冷却風の排出流路および冷却器１０がスプール６の巻き胴部６ａではなくスカート部６ｂに配されている結果、排出流路および冷却器１０の配設スペースを巻き胴部６ａに確保する必要がないことになって巻き胴部６ａの径を細径にできることとなり、その分、ラインの巻き量を多くすることができる。
【００１６】
しかもこのものにおいては、ドラグ機構は、ラインが巻装される巻き胴部６ａ内に内装の第一ドラグ機構７と、巻き胴部６ａとスカート部６ｂとのあいだの段差状部６ｅからリール本体２側に向けて凸設された筒状部６ｆに設けられることでスカート部６ｂに内装されるかたちの第二ドラグ機構８と二組あることとなってドラグ力を大きいものにできるが、第二ドラグ機構８および冷却器１０は、巻き胴部６ａよりも大径のスカート部６ｂ内に配される結果、何れも大径のものにでき、より大きいドラグ力と冷却効率の向上が図れることになる。
【００１７】
そのうえ冷却器１０は、冷却フィン１０ｂがリール本体２側に向けて突出する状態で複数のものがスプール軸３の軸心周りに間隙を存する状態で配設されるものであり、しかも該冷却フィン１０ｂは、ドラグ機能が働いてスプール６がラインを繰り出す方向（矢印Ａ方向）に回転した場合に、内周部１０ｄが該回転方向側に位置し、外周部１０ｅが回転方向反対側に位置する偏倚状態となって傾斜している結果、冷却器１０内の冷却風が内周側から外周側に向けて積極的に移動させることとなって、冷却風の流れが促進され、第一、第二ドラグ機構７、８の冷却効率がより向上する。
【００１８】
しかもこのものにおいて、スカート部６ｂは、排出孔６ｉが形成される領域と排出孔６ｉの無い領域とがあるが、この領域が交互に形成される結果、ドラグ機能が働いてスプール６がラインを繰り出す方向に回転した場合、排出孔６ｉの無い領域では、スカート部６ｂとロータ４との隙間から冷却風がスカート部６ｂに浸入し、そしてドラグ機構７、８を冷却した冷却風は排出孔６ｉから排出されることとなってスカート部６ｂ内での冷却風の流路が確保され、効率よく冷却することができる。
【００１９】
尚、本考案は前記実施の形態に限定されるものではなく、ドラグ機構としては第一ドラグ機構だけのものであっても実施することができ、またスカート部６ｂに形成の排出孔６ｉとしては、図７に示す第二の実施の形態のように、ドラグ力が働いたときのスプール回転方向側の孔面６ｍに、内周部６ｎが回転方向側に位置し、外周部６ｏが回転方向反対側に位置する傾斜面のようにしてもよく、さらには、図８に示す第三の実施の形態のように、両孔面６ｊ、６ｍを前記傾斜面としてもよい。
【産業上の利用可能性】
【００２０】
本考案は、魚釣り用のスピニングリールとして産業上の利用可能性がある。
【符号の説明】
【００２１】
１    スピニングリール
２    リール本体
３    スプール軸
４    ロータ
５    ベール
６    スプール
６ａ  巻き胴部
６ｂ  スカート部
６ｉ  排出孔
７    第一ドラグ機構
８    第二ドラグ機構
１０    冷却器
１０ｂ  冷却フィン
【図１】
0003192726.tif 000003
【図２】
0003192726.tif 000004
【図３】
0003192726.tif 000005
【図４】
0003192726.tif 000006
【図５】
0003192726.tif 000007
【図６】
0003192726.tif 000008
【図７】
0003192726.tif 000009
【図８】
0003192726.tif 000010